(57)【要約】      （修正有）【課題】大容量の蓄電デバイスを用いることなく、また、蓄電デバイスに充電された電力を有効に利用し、消費電力を低減できる画像形成装置を提供する。【解決手段】画像形成部用の冷却ファン２８、スイッチング電源部２２からの電力により蓄電される蓄電部２４、冷却ファン２８に供給される電力をスイッチング電源部２２と蓄電部２４との間で切替える第１切替スイッチ２６、このスイッチ２６を駆動し動作モードでは電源部２２からの電力を冷却ファン２８に供給し、省エネルギーモードでは蓄電部２４からの電力を冷却ファン２８に供給するＣＰＵ２を備え、蓄電部２４は電気２重層コンデンサＣ１、Ｃ２から構成され、Ｃ１、Ｃ２を並列接続／直列接続に切替える第２切替スイッチＱ１と、蓄電部２４の蓄電量を検出する充電制御部２３を備え、検出された蓄電量によりＣＰＵ２が第２切替スイッチＱ１を切り替える。【選択図】図２
2014085550.tif 000002
【特許請求の範囲】
【請求項１】
画像形成部を冷却する冷却ファンと、
商用電源からの交流電圧を直流電圧に変換する電源部と、
前記電源部からの電力により充電される蓄電部と、
前記冷却ファンに供給される電力を、前記電源部と蓄電部との間に切り替える第１切替スイッチと、
第１切替スイッチを駆動し、動作モードでは前記電源部からの電源を前記冷却ファンに供給し、省エネルギーモードでは蓄電部からの電力を冷却ファンに供給するよう制御する制御部を備えた画像形成装置において、
前記蓄電部は２以上の蓄電デバイスから構成され、
前記蓄電デバイスを並列に接続するか、直列に接続するかを切り替える第２切替スイッチと、
蓄電部の蓄電量を検出する検出部を備え、
前記検出部で検出された蓄電量に基づき、前記制御部が第２切替スイッチを並列接続から直列接続に切り替えることを特徴とする画像形成装置。
【請求項２】
請求項１記載の画像形成装置において
前記画像形成部の温度を検出し、温度信号を前記制御部に出力する温度検出部と、
動作モードで前記電源部の電力で充電され、省エネルギーモードで前記制御部及び前記温度検出手段に電源を供給する第２の蓄電部を有し、
前記温度検出手段で検出される温度が所定値以下の場合には、前記制御部は冷却ファンを停止させることを特徴とする画像形成装置。
【発明の詳細な説明】
【技術分野】
【０００１】
この発明は、省エネルギーモードに移行後、定着器の冷却ファンを蓄電装置の電力で駆動する画像形成装置に関する。
【背景技術】
【０００２】
記録紙に画像を形成する画像形成装置では、電源や回路基板等を冷却するための冷却ファンを備えたものが知られている。特に、電子写真方式の画像形成装置では、記録紙上に転写したトナーを熱で定着するための定着器が備えられており、この定着器を冷却する必要がある。この定着器は高温となるため、プリントジョブが終了した後も、安全な温度に下がるまで冷却ファンを駆動する必要がある。
【０００３】
一方、画像形成装置の待機時の消費電力を小さくすることが要求されており、プリントジョブが終了した後、最低限必要な部分を残して、回路、機構を駆動する要素（モータ等）、定着器のヒータの電源を遮断する、いわゆる省エネルギーモードが画像形成装置に適用されている。
【０００４】
ところが、プリントジョブが終了した時点では、定着器の温度が高いのでその時点で冷却ファンの動作を停止すると、残った熱により定着器機構部品の劣化等を起こす問題がある。そこで、プリントジョブが終了した後、定着器の温度が安全な温度に低下するまで、省エネルギーモードに移行できず、電力の節減が十分でない問題がある。
【０００５】
特許文献１記載の画像形成装置では、制御用の直流／交流変換回路（以下ＡＣ／ＤＣ変換回路という）６０ａがＣＰＵ３を含む制御回路７１に電力を供給すると共に、駆動用ＡＣ／ＤＣ変換回路６０ｂによりモータドライバ２４ｅ、２４ｆに電力を供給する（図５参照）。モータドライバ２４ｅはモータ５４を駆動し、モータドライバ２４ｆはファン３６のファンモータ５７を駆動する。
【０００６】
さらに、特許文献１記載の画像形成装置は、蓄電部９を備えている。蓄電部９は、電気二重層コンデンサからなる蓄電デバイス９ａ、充放電部９ｂを備え、蓄電量監視部４３を介して駆動用ＡＣ／ＤＣ変換回路６０ｂに接続されている。また、切替ＳＷ部１０は、モータドライバ２４ｆへの電力の供給元を、駆動用ＡＣ／ＤＣ変換回路６０ｂから蓄電部９に切り替える。
【０００７】
プリントジョブ中は、切替ＳＷ部１０は駆動用ＡＣ／ＤＣ変換回路６０ｂからの電力をモータドライバ２４ｆに供給している。すなわち、ファン３６は、駆動用ＡＣ／ＤＣ変換回路６０ｂの電力により回転することとなる。一方、充放電部９ｂは、駆動用ＡＣ／ＤＣ変換回路６０ｂの電力により蓄電デバイス９ａを充電する。
【０００８】
省エネルギーモードに移行すると、ＣＰＵ３は制御ドライバ２４ｃに信号を出力し、リレー７０をオープンにし、駆動用ＡＣ／ＤＣ変換回路６０ｂを停止させる。同時に、ＣＰＵ３は、切替ＳＷ部１０をオンに切り替え、蓄電部９からの電力がモータドライバ２４ｆに供給される。すなわち、省エネルギーモード移行後は、ファン３６は蓄電部９からの電力により回転するため、プリントジョブ終了後速やかに省エネルギーモードへ移行し、消費電力を低減できる。
【先行技術文献】
【特許文献】
【０００９】
【特許文献１】特開２０１０−２４４０４６号公報
【発明の概要】
【発明が解決しようとする課題】
【００１０】
特許文献１記載の画像形成装置では、省エネルギーモード移行後は、ファン３６は蓄電部９の電荷がなくなるまで回転される。このため、定着器が安全な温度に下がるまでファン３６が回転できるよう、蓄電デバイス９ａの蓄電量を設定しなければならず、蓄電デバイスの容量、個数が多くなり、画像形成装置の製造コストが上昇する問題があった。
【００１１】
このように蓄電デバイス９ａの蓄電量を大きくしても、蓄電デバイス９ａが完全に放電するまでに定着器が安全な温度まで冷却されることもあり、蓄電デバイス９ａに充電した電力が無駄に消費される問題もあった。
【００１２】
この発明は、上記課題を解決し、大容量の蓄電デバイスを用いることなく、また、蓄電デバイスに充電された電力を有効に利用できる画像形成装置の提供を目的としている。
【課題を解決するための手段】
【００１３】
上記課題を解決するため、請求項１記載の発明に係る画像形成装置は、画像形成部を冷却する冷却ファンと、商用電源からの交流電圧を直流電圧に変換する電源部と、前記電源部からの電力により充電される蓄電部と、前記冷却ファンに供給される電力を、前記電源部と蓄電部との間に切り替える第１切替スイッチと、第１切替スイッチを駆動し、動作モードでは前記電源部からの電力を前記冷却ファンに供給し、省エネルギーモードでは蓄電部からの電力を冷却ファンに供給するよう制御する制御部を備えた画像形成装置において、前記蓄電部は２以上の蓄電デバイスから構成され、前記蓄電デバイスを並列に接続するか直列に接続するかを切り替える第２切替スイッチと、蓄電部の蓄電量を検出する検出部を備え、前記検出部で検出された蓄電量に基づき、前記制御部が第２切替スイッチを並列接続から直列接続に切り替えることを特徴とする。
【００１４】
請求項１記載の発明に係る画像形成装置は、省エネルギーモード移行後、蓄電部の蓄電量が減少してきた場合、制御部が第2切替スイッチを動作させ、蓄電デバイスを並列接続から直列接続に切り替えて、冷却ファンに電力を供給するため、少数の蓄電デバイスで長時間、冷却ファンを駆動できる。
【００１５】
請求項２記載の発明に係る画像形成装置は、請求項１記載の画像形成装置において、前記画像形成部の温度を検出し、温度信号を前記制御部に出力する温度検出手段と、動作モードで前記電源部の電力で充電され、省エネルギーモードで前記制御部及び前記温度検出手段に電源を供給する第２の蓄電部を有し、前記温度検出手段で検出される温度が所定値以下の場合には、前記制御部は第１切替スイッチを蓄電部から電源部に切り替え、冷却ファンを停止させることを特徴としている。
【００１６】
請求項２記載の発明に係る画像形成装置は、省エネルギーモード移行後も、制御部と温度検出手段が第２蓄電部の電力で動作しており、画像形成部が所定の温度以下まで冷却されると、冷却ファンを停止させる。冷却ファンが停止するため、蓄電部に残った電荷は次回以降の省エネルギーモード移行時にも使用でき、蓄電部に蓄えられている電力が無駄に浪費されない。
【図面の簡単な説明】
【００１７】
【図１】本発明の実施の形態に係る画像形成装置を説明するブロック図である。
【図２】図１における制御部、蓄電部及びその周辺回路を詳細に示すブロック図である。
【図３】図１の画像形成装置の、入力電源遮断時の動作を説明するフロー図である。
【図４】図１の画像形成装置の、省エネルギーモード移行時の動作の前半を説明するフロー図である。
【図５】図１の画像形成装置の、省エネルギーモード移行時の動作の後半を説明するフロー図である。
【図６】図１の画像形成装置の第１蓄電部の出力電圧の時間変化を説明する図である。
【発明を実施するための形態】
【００１８】
本発明の一実施形態にかかる画像形成装置１を、図１〜図６を参照しながら説明する。
【００１９】
画像形成装置１の構成を、図１を参照しながら説明する。ＣＰＵ（Central Processing Unit）２は、画像形成装置１の動作を制御する。第２蓄電部３は、省エネルギーモード時にＣＰＵ２とその周辺を動作させる電力を供給し、二次電池や電気２重層コンデンサで構成される。ＲＯＭ（Read Only Memory）４は、ＣＰＵ２のプログラムや、プログラム実行に必要なデータを記憶している。
【００２０】
ＳＤＲＡＭ（Synchronous Dynamic Random Access Memory）５は、ＣＰＵ２のメインメモリとして動作し、ＲＯＭ４に記憶されたプログラムを展開して保持すると共に、処理中のデータを記憶する。ＳＲＡＭ（Static Random Access Memory）６は、ユーザデータ（電話番号やメールアドレスなど）を記憶する。ＳＲＡＭ６は、電源が遮断されてもユーザデータが消えないように、図示しない電池によりバックアップされている。
【００２１】
操作パネル７は、図示しない液晶表示器、キーボードを備えている。液晶表示器は画像形成装置１の状態をユーザに報知し、ユーザはキーボードを用いて指示の入力やユーザデータの設定を行なう。モデム（MODEM）８は、図示しない公衆電話回線に送信するデータを変調し、公衆電話回線から受信した信号をデータに復調する。ＮＣＵ（Network Control Unit）９は、図示しない公衆電話回線との接続を制御し、受信した信号をモデム８に伝えると共に、モデム８からの信号を公衆電話回線に送出する。
【００２２】
ＣＰＵ２、ＲＯＭ４、ＳＤＲＡＭ５、ＳＲＡＭ６、操作パネル７、モデム８はシステムバス１０に接続され、相互にデータを送信／受信できる。システムバス１０には、さらに統合チップセットとしてのＡＳＩＣ（Application Specific Integrated Circuit）１１が接続されている。
【００２３】
ＡＳＩＣ１１は、メモリコントローラ機能、画像データの拡大／縮小機能、画像データの圧縮／伸張機能、各種通信インターフェース機能等を有している。ＡＳＩＣ１１には、ＳＤＲＡＭ１２、ＬＡＮ（Local Area Network）インターフェース（Ｉ／Ｆ）１３、スキャナ１４、プリンタエンジン１５が接続されている。
【００２４】
ＳＤＲＡＭ１２は、モデム８が受信したファクシミリ画像、スキャナ１４で原稿より読取った画像、ＬＡＮ  Ｉ／Ｆ１３から受信した画像のデータを記憶する。ＬＡＮ  Ｉ／Ｆ１３は、画像形成装置１をＬＡＮに接続し、図示しないクライアント端末（ＰＣ：Personal Computer）や、各種サーバと通信可能とされている。
【００２５】
スキャナ１４は、原稿を読取る電荷結合素子（ＣＣＤ：Charge Coupled Device）や密着型イメージセンサ（ＣＩＳ:Contact Image Sensor）の撮像素子、原稿を照明する光源、原稿を搬送する自動原稿送り機構（ＡＤＦ：Auto Document Feeder）を備え、原稿を読取って得られた画像データをＡＳＩＣ１４に転送する。
【００２６】
プリンタエンジン１５は、感光ドラム、帯電器、ＬＥＤプリントヘッド、現像器、転写器、高圧電源回路を含み、電子写真方式のプロセスで記録媒体（用紙、ＯＨＰシート）上にトナーによる画像を形成する。記録媒体上のトナー画像は、後述のヒートローラとプレスローラの間を通過し、熱と圧力によりトナーが記録媒体上に定着される。
【００２７】
図１中には、定着器Ｆの構成要素として、ヒートローラ１６、ハロゲンランプ１７、サーミスタ１８が描かれている。ヒートローラ１６は、金属製のパイプの表面に、トナーのオフセットを防止する離型層を形成したもので、その中空部に、棒状のハロゲンランプ１７が支持される。ハロゲンランプ１７には、交流電圧が加えられて発熱し、ヒータとしての機能を果たす。サーミスタ１８は、ヒートローラ１６の温度を検出する温度検出素子であり、ＣＰＵ２に接続されている。
【００２８】
ハロゲンランプ１７と商用電源２１との間には、通電制御部２０が配備されている。通電制御部２０は、図示しないトライアック（TRIAC）を含んでいる。このトライアックのオン／オフはＣＰＵ２が制御し、ＣＰＵ２によりハロゲンヒータ１７のオン／オフが制御される。また、ＣＰＵ２はハロゲンヒータ１７を単純にオン／オフするだけでなく、トライアックの位相制御を行って、ハロゲンヒータ１７の発熱量の制御、ハロゲンヒータ１７オン時のフリッカを低減するためのソフトスタート制御が行えるよう構成されている。
【００２９】
商用電源２１には、スイッチング電源部２２が接続している。スイッチング電源部２２は、ＡＣ１００Ｖを所定の電圧の直流に変換して、画像形成装置１の各部に供給する。スイチング電源２２の出力側には、充電制御部２３が接続される。充電制御部２３は、第１蓄電部２４及び前述の第２蓄電部３に接続され、各蓄電部３、24の蓄電量を検出すると共に、充電電流又は電圧を制御して各蓄電部３、２４を充電する。
【００３０】
第１蓄電部２４には、ＤＣ／ＤＣコンバータ２５が接続され常に一定の電圧が出力される。第１切替スイッチ２６は、ＤＣ／ＤＣコンバータ２５からの出力（ａ側）、スイッチング電源部２２の出力（ｂ側）のいずれかを切り替えてモータドライバ２７に出力する。第１切替スイッチ２６は、電磁リレーや半導体リレーで構成され、ＣＰＵ２の信号Ｓ２により切り替えが制御される。モータドライバ２７は、冷却ファン２８の図示しないモータを駆動し、インペラー（羽根車）を回転させる。
【００３１】
図２は、ＣＰＵ２及び蓄電部２４の周辺を示すブロック図である。スイッチング電源部２２からは、商用電源２１から遮断されていない（電源がオン）ことを示す信号Ｓ１が出力され、ＣＰＵ２の入力ポートＩＰ１に入力される。ＣＰＵ２の出力ポートＯＰ１からの信号Ｓ２は図示しない駆動回路を介して第１切替スイッチ２６に与えられ、ＣＰＵ２が切替スイッチ２６の切り替えを制御する。
【００３２】
ＣＰＵ２の出力ポートＯＰ２はモータドライバ２７に接続され、ＣＰＵ２がモータドライバ２７のオン／オフを制御する。ＣＰＵ２の出力ポートＯＰ３は、第１蓄電部２４に接続されている。第１蓄電部２４の詳細については後述する。
【００３３】
ＣＰＵ２は、二つのアナログ／デジタル（Ａ／Ｄ）変換ポートＡ／Ｄ１、Ａ／Ｄ２を備えている。Ａ／Ｄ変換ポートＡ／Ｄ１は、充電制御部２３に接続されている。充電制御部２３は、第１蓄電部１の蓄電量を検出し、蓄電量を電圧で示すアナログ圧信号Ｖ１を出力する。このアナログ信号Ｖ１はＡ／Ｄ変換ポートＡ／Ｄ１を介してＣＰＵ２に取り込まれ、デジタル信号に変換されてＣＰＵ２の制御に用いられる。
【００３４】
Ａ／Ｄ変換ポートＡ／Ｄ２には、温度を電圧で示すアナログ信号Ｖ２が入力される。アナログ信号Ｖ２は、サーミスタ１８と抵抗Ｒ１により電源電圧ＶＤＤを分圧した電圧である。サーミスタ１８はヒートローラ１６の温度により抵抗値が変化し、アナログ信号Ｖ２もそれに応じて変化する。ＣＰＵ２は、このアナログ信号Ｖ２をＡ／Ｄ変換ポートＡ／Ｄ２を介して取り込み、デジタル信号に変換してヒータ１７の温度制御に使用する。
【００３５】
第２蓄電部３は、ＣＰＵ２の電源端子ＶＤＤに電力を供給し、省エネルギーモードに移行した後、電源が遮断された状態でも、ＣＰＵ２とその周辺回路の動作を可能とする。次に、第１蓄電部２４の詳細について説明する。
【００３６】
第１蓄電部２４は、蓄電デバイスＣ１、Ｃ２、逆流防止用のダイオードＤ１、Ｄ２、Ｄ３、Ｄ４及び第２切替スイッチＱ１を含んでいる。蓄電デバイスＣ１、Ｃ２として、この実施の形態では、電気２重層コンデンサを用いている。もちろん、他の蓄電デバイスとして、ニッケル・カドミウム（Ｎｉ−Ｃｄ）電池、ニッケル・水素（Ｎｉ−Ｈ）電池、リチウムイオン電池などの２次電池が適用できる。
【００３７】
電気２重層コンデンサＣ１の正極は、ダイオードＤ３のアノードに接続され、ダイオードＤ３のカソードは、配線２４ａに接続される。配線２４ａは、蓄電部２４の出力線も兼ね、ＤＣ／ＤＣコンバータ２５の入力に接続される。電気２重層コンデンサＣ１の負極は、配線２４ｂに接続されている。電気２重層コンデンサＣ２の正極は配線２４ａに接続される。電気２重層コンデンサＣ２の負極はダイオードＤ４のカソードに接続され、ダイオードＤ４のアノードは配線２４ｂに接続される。
【００３８】
充電制御部２３からの配線２４ｃは、ダイオードＤ１のアノードに接続され、ダイオードＤ１のカソードは配線２４ａに接続される。また、配線２４ｃは、ダイオードＤ２のアノードにも接続され、ダイオードＤ２のカソードは、電気２重層コンデンサＣ１の正極とダイオードＤ３のアノードの接続点Ｐ１に接続される。
【００３９】
電気２重層コンデンサＣ２の負極とダイオードＤ４のカソードとの接続点を以下Ｐ２と呼ぶ。接続点Ｐ１とＰ２の間には、第2切替スイッチＱ１が設けられている。この実施の形態では、切替スイッチとしてバイポーラトランジスタを使用している。第2切替スイッチＱ１のベースには、図示しない駆動回路を介してＣＰＵ２の出力ポートＯＰ３に接続され、ＣＰＵ２からの信号Ｓ４により第2切替スイッチＱ１のオン／オフが制御される。第2切替スイッチＱ１としては、バイポーラトランジスタの他に、ＦＥＴ（Field Effect Transistor）、ＣＭＯＳ（Complementary Metal Oxide Semiconductor）、サイリスタなどの半導体スイッチや、電磁リレーなどが適用できる。
【００４０】
第２切替スイッチＱ１がオフの場合は、配線２４ａ、２４ｂ間に、電気２重層コンデンサＣ１とＣ２は並列に接続することとなる。一方、第２切替スイッチＱ1がオンとなると、電気２重層コンデンサＣ１の正極は、第２切替スイッチＱ１を介してＣ２の負極に接続され、Ｃ１、Ｃ２は配線２４ａ、２４ｂ間に直列に接続されることとなる。
【００４１】
電源が遮断されていない場合、スイッチング電源部２２からの電力は、充電制御部２３に与えられる。充電制御部２３は、充電量に応じて定電流充電、定電圧充電を行い、電気２重層コンデンサＣ１、Ｃ２を充電する。なお、充電の際には、第２切替スイッチＱ１はオフとされる。
【００４２】
次に、画像形成装置１の動作を、図３を参照しながら説明する。図３は、停電等により電源が遮断された場合の動作を説明するフロー図である。ここでは、第１蓄電部２４、第２蓄電部３が既に充電されており、第１蓄電部２４の第２切替スイッチＱ１はオフであるものとして説明を進める。ＣＰＵ２は、入力ポートＩＰ１を介して、スイッチング電源部２２の信号Ｓ１を監視し、電源が供給されているかどうか監視している（ステップ（以下ＳＴという）１）。
【００４３】
電源が遮断され、スイッチング電源部２２の動作が停止しても、ＣＰＵ２は第２蓄電部３の電力で動作している。ＣＰＵ２は出力ポートＯＰ１より信号Ｓ２を出力し、第１切替スイッチ２６を、スイチング電源２２（ｂ側）からＤＣ／ＤＣコンバータ２５（ａ側）に切り替える（ＳＴ２）。ＤＣ／ＤＣコンバータ２５には、蓄電部２４からの電力が供給される。第１蓄電部２４の電圧は充電量により変化するため、ＤＣ／ＤＣコンバータ２５は一定電圧の直流電圧に変換し、モータドライバ２７に供給する。
【００４４】
次に、ＣＰＵ２は、信号Ｓ３をモータドライバ２７に出力し、モータドライバ２７の駆動を開始する（ＳＴ３）。モータドライバ２７の駆動により、冷却ファン２８のインペラーが回転し、定着部Ｆを冷却する。ＣＰＵ２は、充電制御部２３からの信号Ｖ１により、第１蓄電部２４の蓄電量を監視している。第２切替スイッチＱ１はオフであるので、電気２重層コンデンサＣ１、Ｃ２は並列に接続されている。
【００４５】
電気２重層コンデンサＣ１、Ｃ２の放電が進むと、その電圧Ｖｃ１が第６図に示すように低下してくる。このまま放電を続けると、破線Ｖｃ１‘で示すように電圧が低下してしまう。そこで、時刻ｔ１において電圧Ｖｃ１が切り替え閾値Ｖｔｈに到達すると（ＳＴ４）、ＣＰＵ２は信号Ｓ４を出力し、第２切替スイッチＱ１をオンにする（ＳＴ５）。第２切替スイッチＱ１がオンとなると、電気２重層コンデンサＣ１、Ｃ２が直列に接続され、蓄電部２４の出力電圧が回復する（図６中Ｖｃ２）。
【００４６】
次に、ＣＰＵ２は、サーミスタ１８の検出温度が所定値以上かどうか判定する（ＳＴ６）。この判定がNOの場合には、定着部Ｆの温度が下がりきっていない状態であるため、ＳＴ４に戻りヒートローラ１６の冷却を続ける。ＳＴ６の判定がYESの場合には、定着部Ｆの温度が安全な値まで低下しているから、ＣＰＵ２はＳＴ７の処理に分岐する。
【００４７】
ＳＴ７では、ＣＰＵ２はモータドライバ２７を停止する。さらにＣＰＵ２は第１の切替スイッチ２６をＤＣ／ＤＣコンバータ２５（ａ側）からスイッチング電源部２２（ｂ側）へ切り替え、第１蓄電部２４の放電を停止させる。このように、電気２重層コンデンサＣ１，Ｃ２を並列接続から直列接続に切り替えることにより、定着部Ｆの温度が安全な値まで低下するよう確実に冷却を続けることができる。
【００４８】
なお、蓄電量が切り替え閾値Vth未満になる前にサーミスタ検出温度が所定値未満となると、ＣＰＵ２は電気２重層コンデンサＣ１，Ｃ２を直列接続に切り替える前に冷却を停止する。いずれの場合でも、サーミスタ検出温度が所定未満になれば第１蓄電部２４の放電を停止し、第１蓄電部２４に蓄えられた電力が無駄に消費されるのを防止する。
【００４９】
次に、画像形成装置１がプリントジョブ終了後、省エネルギーモードへ移行した場合の動作について、図４及び図５を参照しながら説明する。ＣＰＵ２は、プリントジョブが終了したかどうか判定する（ＳＴ１１、図４）。この判定がＮＯの場合には、ＳＴ１１を繰り返す。ＳＴ１１の判定がＹＥＳの場合には、ＣＰＵ２はＳＴ１２の判定に分岐する。
【００５０】
ＳＴ１２では、ＣＰＵ２はＡ／Ｄ変換ポートＡ／Ｄ２から、サーミスタ１８のアナログ温度信号Ｖ２を取り込み、サーミスタ検出温度が所定温度以上かどうか判定する。このとき、ＣＰＵ２、サーミスタ１８には第２蓄電部３から電力が供給されている。サーミスタ検出温度が所定温度未満ならば（NOの場合）、定着部Ｆが安全な温度にあるとして、冷却処理をすることなく終了する。ＳＴ１２で、ＣＰＵ２がサーミスタ検出温度が所定値以上と判定した場合には（ＹＥＳの場合）、ＣＰＵ２はＳＴ１３の判定に分岐する。
【００５１】
ＳＴ１３では、ＣＰＵ２は、第１蓄電部２４の蓄電量が所定値以上あるかどうか判定する。この判定がＮＯの場合は、第１蓄電部２４の電力で十分な冷却が行なえない場合であるので、ＣＰＵ２は処理を終了する。なお、この場合には省エネルギーモードへの移行を中止し、スイッチング電源部２２よりモータドライバ２７に電力供給し、冷却を続けることが好ましい。ＳＴ１３の判定がＹＥＳの場合には、ＣＰＵ２は、出力ポートＯＰ１より信号Ｓ２を出力し、第１の切替スイッチ２６を、スイチング電源２２（ｂ側）からＤＣ／ＤＣコンバータ２５（ａ側）に切り替える（ＳＴ１４）。
【００５２】
さらに、ＣＰＵ２は信号Ｓ３をモータドライバ２７に出力し、モータドライバ２７の駆動を開始する（ＳＴ１５）。モータドライバ２７の駆動により、冷却ファン２８のインペラーが回転し、定着部Ｆを冷却する。ＣＰＵ２は、第１蓄電部２４の蓄電量が切り替え閾値未満かどうか判定する（ＳＴ１６、図５）。この判定がＮＯの場合には、ＣＰＵ２はＳＴ18に分岐する。
【００５３】
ＳＴ１６の判定がＹＥＳの場合には、ＣＰＵ２は信号Ｓ４を出力し、第２切替スイッチＱ１をオンにし、電気２重層コンデンサＣ１、Ｃ２を並列接続から直列接続に切り替える（ＳＴ１７）。次にＣＰＵ２は、サーミスタ検出温度が所定値以上かどうか判定する（ＳＴ１８）。ＳＴ１８の判定がNOの場合には、ＣＰＵ２はＳＴ１６に分岐し、冷却ファン２８は定着部Ｆの冷却を続ける。
【００５４】
ＳＴ１８の判定がYESの場合には、ＣＰＵ２はＳＴ１9の処理に分岐し、モータドライバ２７を停止する（ＳＴ１９）。さらにＣＰＵ２は第１の切替スイッチ２６をＤＣ／ＤＣコンバータ２５側（ａ側）からスイチング電源２２側（ｂ側）に切り替え（ＳＴ２０）第１蓄電部２４の放電を停止させる。なお、蓄電量が切り替え閾値未満になる前にサーミスタ検出温度が所定値未満となると、電気２重層コンデンサＣ１，Ｃ２を直列接続に切り替える前に冷却が停止するのは図３の場合と同様である。
【００５５】
電気２重層コンデンサＣ１，Ｃ２を並列接続から直列接続に切り替えることにより、長時間冷却ファン２８を駆動し続けることができる。また、第１蓄電部２４の電力で冷却ファン２８を回転させるとともに、ＣＰＵ２、サーミスタ１８には第２蓄電部３からの電力が供給されるので、画像形成装置１は省エネルギーモードに移行し、消費電力を低減することができる。さらに、定着部Ｆが所定温度未満になると、第１蓄電部２４の放電を停止することができ、蓄えられた電力の無駄な使用を防止できる。
【符号の説明】
【００５６】
１    画像形成装置
２    ＣＰＵ
３    第２蓄電部
４    ＲＯＭ
５    ＳＤＲＡＭ
６    ＳＲＡＭ
７    操作パネル
８    モデム（ＭＯＤＥＭ）
９    ＮＣＵ
１０  システムバス
１１  ＡＳＩＣ
１２  ＳＤＲＡＭ
１３  ＬＡＮ  Ｉ／Ｆ
１４  スキャナ
１５  プリンタエンジン
１６  ヒートローラ
１７  ハロゲンランプ
１８  サーミスタ
１９  プレスローラ
２０  通電制御部
２１  商用電源
２２  スイッチング電源部
２３  充電制御部
２４  第１蓄電部
２５  ＤＣ／ＤＣコンバータ
２６  第１切替スイッチ
２７  モータドライバ
２８  冷却ファン
Ｆ    定着部
Ｃ１  電気２重層コンデンサ
Ｃ２  電気２重層コンデンサ
Ｑ１  第２切替スイッチ
【図１】
2014085550.tif 000003
【図２】
2014085550.tif 000004
【図３】
2014085550.tif 000005
【図４】
2014085550.tif 000006
【図５】
2014085550.tif 000007
【図６】
2014085550.tif 000008